(57)【要約】【課題】大量の体液を容易に吸収し、漏れを防止できる吸収性物品の提供。【解決手段】液透過性のトップシート１０と、液不透過性のバックシート１２と、これらの間に配置された吸収体１１と、幅方向両側に長手方向に沿って設けられ、その幅方向途中部がトップシート１０の肌側面に長手方向に沿って固定された第１の立体ギャザー１３と、帯状の形状であり、幅方向一端が第１の立体ギャザー１３のトップシート１０を臨む表面１３ｘに固定され、幅方向他端がトップシート１０の肌側面に固定され、第１の立体ギャザー１３とトップシート１０との固定界面を跨いで長手方向に延びる高吸収性シート２０とを更に備え、高吸収性シート２０は、不織布１６と、パルプ含有不織布１７と、高吸収性ポリマー１８とを含み、パルプ含有不織布１７はスパンボンド不織布とこれに一体化されたパルプ繊維層とを含む、吸収性物品。【選択図】図２
2022000095.tif 000002
【特許請求の範囲】
【請求項１】
液透過性のトップシートと、液不透過性のバックシートと、前記トップシートと前記バックシートとの間に配置された吸収体と、を備える吸収性物品であって、
前記吸収性物品の幅方向の両側において前記吸収性物品の長手方向に沿って設けられ、その幅方向途中部が前記トップシートの肌側面に前記長手方向に沿って固定され、撥水性及び／又は防水性のシートを含む一対の第１の立体ギャザーと、
帯状の形状を有し、幅方向一端が前記第１の立体ギャザーの前記トップシートを臨む表面に固定され、幅方向他端が前記トップシートの前記肌側面に固定され、前記第１の立体ギャザーと前記トップシートとの固定界面を跨いで前記長手方向に延びる高吸収性シートと、を更に備え、
前記高吸収性シートは、不織布と、前記不織布に対向配置されるパルプ含有不織布と、これらの間に固着担持された高吸収性ポリマーと、を含み、
前記パルプ含有不織布は、スパンボンド不織布と、前記スパンボンド不織布の少なくとも一方の表面に一体化されたパルプ繊維層と、を含むことを特徴とする、吸収性物品。
【請求項２】
前記高吸収性シートは、前記パルプ含有不織布の前記不織布との非対向面を、前記第１の立体ギャザーの前記トップシートを臨む前記表面、及び前記トップシートの前記肌側面に固定する、請求項１に記載の吸収性物品。
【請求項３】
前記高吸収性シートは、前記不織布がエアスルー不織布である、請求項１又は２に記載の吸収性物品。
【請求項４】
前記高吸収性シートの前記幅方向の前記他端は、前記トップシートの前記長手方向長さ寸法をＬ（ｃｍ）としたとき、前記トップシートの前記長手方向の一端から０．１Ｌ（ｃｍ）以上０．９Ｌ（ｃｍ）以下の領域に固定されている、請求項１〜３のいずれか１項に記載の吸収性物品。
【請求項５】
前記高吸収性シートの前記幅方向の前記他端は、前記トップシートの前記幅方向の長さ寸法をＭ（ｃｍ）としたときに、前記トップシートの前記幅方向の一端及び他端からそれぞれ略０．１Ｍ（ｃｍ）以上０．３Ｍ（ｃｍ）以下の領域に固定されている、請求項１〜４のいずれか１項に記載の吸収性物品。
【請求項６】
前記一対の第１の立体ギャザーの前記幅方向外側に前記長手方向に沿って設けられ、撥水性及び／又は防水性のシートを含む一対の第２の立体ギャザーを備えている、請求項１〜５のいずれか１項に記載の吸収性物品。
【発明の詳細な説明】
【技術分野】
【０００１】
本発明は、吸収性物品に関する。
【背景技術】
【０００２】
従来から、紙おむつ等の吸収性物品では、尿、便等の体液の横漏れを防止するために、一般に立体ギャザーが用いられている。そして、吸収性物品においては、体液の外部への漏れを防止することは、非常に重要な課題の一つであることから、立体ギャザーのさらなる改良や、立体ギャザー以外の漏れ防止部材の開発等について、様々な提案がなされている。
【０００３】
特許文献１には、使用状態で自由起立するウエスト用のバリヤーカフスを製品長手方向端部の使用面側に有し、バリヤーカフスはバリヤーシートを二重にして構成され、バリヤーカフスの起立遠位縁近傍及び起立領域内の起立近位縁近傍に、弾性伸縮部材をそれぞれ配設した吸収性物品が開示されている。この構造によれば、吸収性物品の肌側面に補助パッドを重ねた場合でも、ウエスト部での漏れが防止されると記載されている。
【０００４】
特許文献２には、吸収体とギャザーシートと不透液性フィルム材と表面シートとによって囲まれ、軟便等の体液を一旦貯留可能な断面視略三角形状の空間部を備え、排泄された体液を該空間部に一旦貯留して吸収体に吸収させるように構成した吸収性物品が開示されている。この構成によれば、体液、特に軟便漏れが低減すると記載されている。
【０００５】
特許文献３には、吸収体の長手方向両側縁に沿って設けられた、液不透過性のシートからなる一対の第１の立体ギャザーと、その幅方向外側に設けられた一対の第２の立体ギャザーと、を備え、第１の立体ギャザーのトップシート表面から立ち上がる起立点（以下単に「起立点」ともいう）と、第２の立体ギャザーの起立点との間に、液透過性のトップシートを幅方向に露出させた吸収性物品が開示されている。この構造によれば、内側の第１の立体ギャザーを超えて外側の第２の立体ギャザーで堰き止められた体液を、トップシートの露出面から内部の吸収体に吸収させることができ、漏れが防止されるとともに、吸収体への体液捕集性が向上すると記載されている。
【先行技術文献】
【特許文献】
【０００６】
【特許文献１】特開２００１−２９３０３２号公報
【特許文献２】特開２００７−１４３８７４号公報
【特許文献３】特開２０１１−２０６１０８号公報
【発明の概要】
【発明が解決しようとする課題】
【０００７】
しかしながら、従来の吸収性物品では、大量の尿や軟便が一度に排出された場合には、確実に漏れを防止することは難しいという課題が存在する。
【０００８】
本発明の目的は、大量に排出された尿や軟便を容易に吸収し、漏れを防止できる吸収性物品を提供することである。
【課題を解決するための手段】
【０００９】
本発明者は、上記課題を解決すべく鋭意研究を重ねた結果、第１の立体ギャザーの幅方向途中部をトップシートの肌側面に固定し、第１の立体ギャザーとトップシートとの固定界面を跨いで所定の特性を有する体液吸収性シートを設けることで、所望の吸収性物品が得られることを見出し、本発明を完成するに至った。すなわち、本発明は、下記の吸収性物品に係る。
【００１０】
（１）液透過性のトップシートと、液不透過性のバックシートと、前記トップシートと前記バックシートとの間に配置された吸収体と、を備える吸収性物品であって、
前記吸収性物品の幅方向の両側において前記吸収性物品の長手方向に沿って設けられ、その幅方向途中部が前記トップシートの肌側面に前記長手方向に沿って固定され、撥水性及び／又は防水性のシートを含む一対の第１の立体ギャザーと、
帯状の形状を有し、幅方向一端が前記第１の立体ギャザーの前記トップシートを臨む表面に固定され、幅方向他端が前記トップシートの前記肌側面に固定され、前記第１の立体ギャザーと前記トップシートとの固定界面を跨いで前記長手方向に延びる高吸収性シートと、を更に備え、
前記高吸収性シートは、不織布と、前記不織布に対向配置されたパルプ含有不織布と、これらの間に固着担持された高吸収性ポリマーと、を含み、
前記パルプ含有不織布は、スパンボンド不織布と、前記スパンボンド不織布の少なくとも一方の表面に一体化されたパルプ繊維層と、を含むことを特徴とする、吸収性物品。
（２）前記高吸収性シートは、前記パルプ含有不織布の前記不織布との非対向面を、前記第１の立体ギャザーの前記トップシートを臨む前記表面、及び前記トップシートの前記肌側面に固定する、上記（１）の吸収性物品。
（３）前記高吸収性シートは、前記不織布がエアスルー不織布である、上記（１）又は（２）の吸収性物品。
（４）前記高吸収性シートの前記幅方向の前記他端は、前記トップシートの前記長手方向長さ寸法をＬ（ｃｍ）としたとき、前記トップシートの前記長手方向の一端から０．１Ｌ（ｃｍ）以上０．９Ｌ（ｃｍ）以下の領域に固定されている、上記（１）〜（３）のいずれかの吸収性物品。
（５）前記高吸収性シートの前記幅方向の前記他端は、前記トップシートの前記幅方向の長さ寸法をＭ（ｃｍ）としたときに、前記トップシートの前記幅方向の一端及び他端からそれぞれ略０．１Ｍ（ｃｍ）以上０．３Ｍ（ｃｍ）以下の領域に固定されている、上記（１）〜（４）のいずれかの吸収性物品。
（６）前記一対の第１の立体ギャザーの前記幅方向外側に前記長手方向に沿って設けられ、撥水性及び／又は防水性のシートを含む一対の第２の立体ギャザーを備えている、上記（１）〜（５）のいずれかの吸収性物品。
【発明の効果】
【００１１】
本発明によれば、大量に排出された尿や軟便を容易に吸収し、漏れを防止できる吸収性物品を提供することができる。
【図面の簡単な説明】
【００１２】
【図１】本発明の第１実施形態に係る吸収性物品の構成を模式的に示す平面図である。
【図２】図１のＸ１−Ｘ１切断線における模式断面図である。
【図３】第１実施形態に係る吸収性物品の吸液後の状態を示す模式断面図である。
【図４】本発明の第２実施形態に係る吸収性物品の構成を模式的に示す断面図である。
【図５】高吸収性シートの一実施形態の構成を模式的に示す平面図である。
【図６】図５のＹ１−Ｙ１切断線における模式断面図である。
【発明を実施するための形態】
【００１３】
本明細書において、吸収性物品の着用とは、体液の吸収前後を問わず、吸収性物品を身体に装着した状態をいう。吸収性物品において、長手方向とは吸収性物品を身体に着用したときに着用者の股間部を介して身体の前後に亘る方向であり、幅方向とは長手方向に対して直交する方向であり、厚み方向とは各構成部材を積層する方向である。肌側面とは、吸収性物品の着用時において、着用者の肌に当接する表面又は肌を臨む表面であり、非肌側面とは、着用者の衣服に接触する表面又は衣服を臨む表面である。体液とは、尿や血液、軟便中の水分等の体内から体外に排出された液体をいう。
【００１４】
＜吸収性物品（第１実施形態）＞
以下、図面を参照しつつ、本実施形態について説明する。図１及び図２は第１実施形態に係る吸収性物品１を示す。図３は、吸収性物品１の体液吸収後の状態を示す。図４は第２実施形態に係る吸収性物品２を示す。図５及び図６は、第１の立体ギャザー１３のトップシート１０を臨む表面１３ｘに固定される高吸収性シート２０を示す。これらの図面は本実施形態の吸収性物品１、２中の各構成部材の形状や寸法、大小関係等を規定するものではない。
【００１５】
本実施形態の吸収性物品１、２は、ベビー用又は成人用を問わず種々の吸収性物品として使用できるが、代表的には、軽失禁パッド、尿吸収パッド、生理用ナプキン、失禁用使い捨ておむつ、パンツ型紙おむつ、テープ止め紙おむつ等が挙げられる。アウターとしての各種紙おむつと、インナーとしての吸収性物品１、２とを組み合わせてもよい。吸収性物品１、２の、長手方向の寸法、及び幅方向の寸法はいずれも特に限定されないが、例えば、１００ｍｍ以上８００ｍｍ以下の範囲、及び５０ｍｍ以上５００ｍｍ以下の範囲である。吸収性物品１、２の寸法を前記の範囲に調整することで、種々の用途のものが容易に得られる。
【００１６】
＜吸収性物品（第１実施形態）＞
吸収性物品１は、図１及び図２に示すように、吸収性物品１を着用したときに相対的に肌側に位置する、液透過性のトップシート１０と、トップシート１０に対向して配置され、吸収性物品１を着用したときに相対的に非肌側に位置する液不透過性のバックシート１２と、トップシート１０とバックシート１２との間に配置された吸収体１１と、トップシート１０の肌側面の幅方向両端に主に設けられ、幅方向途中部がトップシート１０の肌側面に固定された第１の立体ギャザー１３と、第１の立体ギャザー１３のトップシート１０を臨む表面１３ｘ及びトップシート１０の肌側面に固定された高吸収性シート２０と、を備える。吸収体１１はトップシート１０とバックシート１２との間に挟まれた構造となり、尿等の体液はトップシート１０を通して吸収体１１に吸収及び保持される。吸収性物品１の用途やタイプに応じて、レッグギャザー、ウエストギャザー、サイドフラップ等を適宜設けることができる。
【００１７】
本実施形態によれば、第１の立体ギャザー１３を設け、第１の立体ギャザー１３のトップシート１０の肌側面を臨む表面１３ｘ（以下単に「表面１３ｘ」ともいう）とトップシート１０の肌側面との固定界面を跨いで、体液を高吸収し得る高吸収性シート２０を固定することで、大量の体液が急激に排出された場合でも、横漏れを防止しつつ、体液を吸収することができる。すなわち、第１の立体ギャザー１３の表面１３ｘとトップシート１０の肌側面との固定界面を跨いで、不織布１６と、パルプ含有不織布１７と、これらの間に固着担持された高吸収性ポリマー１８と、を含む高吸収性シート２０を固定することにより、大量の体液が一度に急激に排出されたときに、トップシート１０を通して吸収体１１で吸収するとともに、残余の体液が横漏れを起こしそうになっても、高吸収性シート２０がこれを吸収し、その内部の高吸収性ポリマー１８が膨潤し、図３に示すように、第１の立体ギャザー１３を起立させ、体液の幅方向への流れを堰き止め、吸収体１１に導くことができる。このような横漏れ防止機構を設けることで、横漏れをほぼ確実に防止できると共に、体液が着用者自身や衣服に付着し難くなり、衛生的である。
【００１８】
以下、各構成部材について、トップシート１０、吸収体１１、バックシート１２、第１の立体ギャザー１３、及び高吸収性シート２０の順でさらに詳しく説明する。これらの構成部材は、シート状及び板状以外の立体構造を有していてもよい。
【００１９】
（トップシート）
トップシート１０の基材としては、体液が吸収体１１へと移動する液透過性を備えていればよく、例えば、サーマルボンド不織布等の不織布、サーマルボンド不織布／スパンボンド不織布積層体である複合不織布、開口ポリエチレンフィルム等の開口性フィルム、ポリエチレンフォーム、ウレタンフォーム等の発泡フィルム、これらの１種又は２種以上を積層した複合シート等が挙げられる。トップシート１０は、液透過性を向上させる観点から、表面に公知の方法に従ってエンボス加工や穿孔加工を施してもよい。トップシート１０には、肌への刺激を低減させる観点から、ローション、酸化防止剤、抗炎症成分、ｐＨ調整剤、抗菌剤、保湿剤等の１種又は２種を含有させてもよい。トップシート１０の坪量は、強度及び加工性の観点から、例えば１４ｇ／ｍ２以上４０ｇ／ｍ２以下の範囲である。トップシート１０の形状は特に制限されず、尿等の体液を吸収体１１に誘導するため、吸収体１１の全部又は一部を覆う形状であればよい。
【００２０】
（吸収体）
吸収体１１はトップシート１０とバックシート１２との間に配置され、吸収基材を含み、必要に応じて吸収成分を含んでもよい。吸収基材としては、一般に生理用ナプキンやおむつ、尿取りパッド等の吸収性物品に使用される吸収性繊維を特に制限なく使用でき、例えば、フラッフパルプ、コットン、レーヨン、アセテート、ティシュ、吸収紙、親水性不織布等が挙げられる。これらの中でも、吸収性の観点から、フラッフパルプが好ましい。フラッフパルプとしては、木材パルプ、合成繊維、ポリマー繊維、非木材パルプ等の綿状解繊物等が挙げられる。吸収体１１の吸収性繊維の坪量は、吸収性能及び肌触りを損なわない観点から、例えば５０ｇ／ｍ２以上８００ｇ／ｍ２以下の範囲である。
【００２１】
吸収成分としては特に限定されないが、例えば、高吸収性ポリマー（Ｓｕｐｅｒ  Ａｂｓｏｒｂｅｎｔ  Ｐｏｌｙｍｅｒ、以下「ＳＡＰ」ともいう）が挙げられる。高吸収性ポリマーとしては、体液を吸収及び保持し、かつ、逆流を防止できるものであれば特に制限はなく、ポリアクリル酸塩、ポリアスパラギン酸塩、（デンプン−アクリル酸）グラフト共重合体、（アクリル酸−ビニルアルコール）共重合体、（イソブチレン−無水マレイン酸）共重合体及びそのケン化物等が挙げられる。これらの中でも、重量あたりの吸収量の観点から、ポリアクリル酸塩が好ましく、ポリアクリル酸ナトリウムがより好ましい。高吸収性ポリマーは１種を単独で又は２種以上を組み合わせて使用できる。吸収体１１のＳＡＰの坪量は、吸収性能及び肌触りを損なわない観点から、例えば１０ｇ／ｍ２以上５００ｇ／ｍ２以下の範囲であり、吸収体１１のＳＡＰの含有量は、例えば吸収体１１全量の１５質量％以上５０質量％以下の範囲である。
【００２２】
吸収体１１の形態としては、例えば、吸収性繊維からなる形態、吸収性繊維中にＳＡＰ粒子を混合して形成した積層マットの形態等が挙げられる。繊維形態に成形したＳＡＰを使用することもできる。また、ＳＡＰ粒子の漏洩防止や吸収体１１の形状の安定化の観点から、吸収体１１をキャリアシートに包んでもよい。キャリアシートの基材としては親水性を有するものであればよく、ティシュ、吸収紙、エアレイド不織布等の親水性不織布が挙げられる。キャリアシートを複数備える場合は、キャリアシートの基材は同一でも異なるものでもよい。
【００２３】
吸収体１１は、２層以上の吸収体からなるものでもよく、例えば、上層吸収体と下層吸収体とを積層したものでもよい。この場合、上層吸収体と下層吸収体の長手方向及び幅方向の寸法は、上層吸収体の寸法が下層吸収体の寸法より大きくてもよく、上層吸収体の寸法が下層吸収体の寸法と同じでもよく、上層吸収体の寸法が下層吸収体の寸法より小さくてもよい。
【００２４】
（バックシート）
本実施形態のバックシート１２の基材としては、吸収体１１が保持している体液が漏れない液不透過性を備えたものであればよく、例えば、不織布、樹脂フィルム、これらの１種又は２種以上の積層体である複合シート等が挙げられる。不織布としては、特に限定されず、例えば、スパンボンド不織布、メルトブロー不織布、スパンボンド不織布／メルトブロー不織布積層体、スパンボンド不織布／メルトブロー不織布／スパンボンド不織布積層体等の複合不織布、これらの１種又は２種以上の積層体である複合材料等が挙げられる。また、樹脂フィルムとしては、例えば、ポリエステル、ポリビニルアルコール、ポリエチレン、ポリプロピレン、ポリエチレンとポリプロピレンの複合フィルム等が挙げられる。また、着用時の蒸れを防止する観点から、バックシート１２は透湿性を有していてもよい。透湿性を付与するために、例えば、基材の樹脂フィルムにフィラーを配合することや、バックシート１２に穿孔のためのエンボス加工を施すことが挙げられる。
【００２５】
（第１の立体ギャザー）
第１の立体ギャザー１３は、例えば、吸収性物品１の着用者が排泄した体液の横漏れを防止するために設けられる。一対の第１の立体ギャザー１３は、吸収性物品１の幅方向の両側において吸収性物品１の長手方向に沿って設けられ、その幅方向途中部がトップシート１０の肌側面に吸収性物品１の長手方向に沿って固定され、撥水性及び／又は防水性のシートを含む。
【００２６】
本実施形態の第１の立体ギャザー１３は、弾性伸縮部材１３ａと、第１のシート部材１３ｂと、を含む。弾性伸縮部材１３ａは、第１のシート部材１３ｂの自由端（他端）付近に長手方向に沿って配設され、該自由端に起立性を付与し、第１のシート部材１３ｂ全体を着用者の体型に合わせて変形可能とすることができる。第１のシート部材１３ｂは、本実施形態では幅方向一端（固定端）がバックシート１２の肌側面の幅方向両端付近に固定され、幅方向途中部がトップシート１０の肌側面の幅方向両端付近に固定され、幅方向他端が自由端である。なお、シート部材１３ｂの幅方向途中部を、後述する高吸収性シート２０により、トップシート１０の肌側面に固定してもよい。弾性伸縮部材１３ａにより起立性が付与された第１のシート部材１３ｂ及びその自由端は、高吸収性シート２０の内部の高吸収性ポリマー１８が膨潤することにより起立し、体液の横漏れを防止する。
【００２７】
第１のシート部材１３ｂの固定端（幅方向一端）の固定位置は、本実施形態に限定されず、例えば、バックシート１２の非肌側面、内部に吸収体１１を収納したトップシート１０とバックシート１２との各縁辺の全部又は一部接合体の肌側面又は非肌側面の幅方向両端付近、トップシート１０の肌側面の幅方向両端付近等が挙げられる。さらに、第１の立体ギャザー１３は、前述の固定位置のいずれかから、幅方向に延伸し、折り曲げ自在の一対の部材として構成してもよい。なお、第１のシート部材１３の幅方向一端である固定端がトップシート１０の肌側面で固定されているときは、この固定界面を跨ぐように高吸収性シート２０を固定してもよい。
【００２８】
第１のシート部材１３ｂは撥水性及び／又は防水性を有するシートであり、例えば不織布から構成される。第１のシート部材用不織布としては、疎水性繊維にて形成された撥水性及び／又は防水性（液不透過性）の不織布を特に限定なく使用でき、例えば、スパンボンド不織布、メルトブロー不織布、スパンボンド不織布／メルトブロー不織布／スパンボンド不織布積層体である複合不織布（ＳＭＳ不織布）等が挙げられる。第１の立体ギャザー１３又は第１のシート部材１３ｂの坪量は、例えば、１０ｇ／ｍ２以上１００ｇ／ｍ２以下の範囲である。弾性伸縮部材１３ａとしては、例えば、天然ゴム、合成ゴム、ポリウレタン等からなる、糸状、紐状、帯状のものを適宜使用することができる。
【００２９】
（高吸収性シート）
高吸収性シート２０は、図５及び図６に示すように、不織布１６と、不織布１６に対向配置されるパルプ含有不織布１７と、これらの間に固定された高吸収性ポリマー１８とを含み、吸収性物品１の長手方向に延びる帯状部材である。本実施形態では、不織布１６の露出した表面（パルプ含有不織布１７との非対向面）１６ａは、第１の立体ギャザー１３及びトップシート１０との非固定面であり、パルプ含有不織布１７の露出した表面（不織布１６との非対向面）１７ａは、第１の立体ギャザー１３及びトップシート１０との固定面である。パルプ含有不織布１７は、第１の立体ギャザー１３の表面１３ｘとの固定性等の観点から、不織布１６との非対向面１７ａがスパンボンド不織布であり、不織布１６と対向する表面１７ｂがパルプ繊維層であることが好ましい。
【００３０】
高吸収性シート２０は、パルプ含有不織布１７の表面１７ａの幅方向一端が、第１の立体ギャザー（又は第１のシート部材１３ｂ）のトップシート１０を臨む表面１３ｘに固定され、表面１７ａの幅方向他端が、トップシート１０の肌側面に固定され、第１の立体ギャザー１３の表面１３ｘとトップシート１０の肌側面との固定界面を跨いで、長手方向に延びる。ここで、幅方向の一端及び他端とは、幅方向の一方の縁辺及び他方の縁辺のみを意味するのではなく、幅方向の一方の縁辺とその周辺領域及び他方の縁辺とその周辺領域をそれぞれ意味する。また、高吸収性シート２０の幅方向中央から一方の縁辺までの領域を幅方向一端とし、幅方向中央から他方の縁辺までの領域を幅方向他端としてもよい。
【００３１】
本実施形態の高吸収性シート２０の内部では、ＳＡＰが固定されて長手方向に延びるＳＡＰ固定領域３０と、不織布１６とパルプ含有不織布１７とが接合されて長手方向に延びるシート固定領域３１と、が幅方向に交互に配置されている。幅方向に並んだ２つのＳＡＰ固定領域３０のうち、一方が第１の立体ギャザー１３の表面１３ｘに固定される領域であり、他方がトップシート１０の肌側面に固定される領域である。特に、ＳＡＰ固定領域３０の幅方向の両側にシート固定領域３１を配置することにより、ＳＡＰ固定領域３０の内部の高吸収性ポリマー１８が体液を吸収して膨潤したときに、２つのＳＡＰ固定領域３０の間のシート固定領域３１が長手方向に沿って幅方向に折れ曲がる応力が負荷されやすくなり、第１の立体ギャザー１３が起立する。ここで、２つのＳＡＰ固定領域３０の間のシート固定領域３１におけるパルプ含有不織布１７側の表面を、第１の立体ギャザー１３の表面１３ｘ及びトップシート１０の肌側面のいずれにも固定されない非固定面としてもよい。
【００３２】
ＳＡＰ固定領域３０では、高吸収性ポリマー１８は、好ましくはホットメルト接着剤により不織布１６とパルプ含有不織布１７との間に固着担持されている。高吸収性ポリマー１８の体液吸収性を阻害せず、かつ、着用時の肌触りを損なわないように、ホットメルト接着剤の含有量は例えば１０ｇ／ｍ２以下の範囲である。また、シート固定領域３１では、不織布１６及びパルプ含有不織布１７の各対向面が好ましくはホットメルト接着剤により固定されている。また、高吸収性シート２０のパルプ含有不織布１７側の表面１７ａと、第１の立体ギャザー１３の表面１３ｘ及びトップシート１０の肌側面との固定にもホットメルト接着剤が用いられる。
【００３３】
ホットメルト接着剤としては、融点が１００℃以上１８０℃以下のものを特に限定なく使用でき、例えば、スチレン−ブタジエン−スチレン系共重合体、スチレン−イソプレン−スチレン系共重合体等の合成ゴム系ホットメルト接着剤、エチレン−酢酸ビニル共重合体等のオレフィン系ホットメルト接着剤等が挙げられる。ホットメルト接着剤の塗布方法としては、例えば、ノズルから溶融状態のホットメルト接着剤を非接触式で塗布するカーテンコート法やスパイラル法、接触式で塗布するスロット法等、公知の方法が利用できる。
【００３４】
高吸収性シート２０の、トップシート１０の肌側面に固定される幅方向他端は、トップシート１０の長手方向長さ寸法（又は長手方向の最大長さ寸法）をＬ（ｃｍ）としたとき、例えば、トップシート１０の長手方向の一端又は他端から０．１Ｌ（ｃｍ）以上０．９Ｌ（ｃｍ）以下の範囲、又は０．２Ｌ（ｃｍ）以上０．８Ｌ（ｃｍ）以下の範囲の領域に固定されることが好ましい。この領域から外れた場合、高吸収性シート２０が体液を吸収して膨潤するときに、長手方向両端部分の固定が外れ、高吸収性シート２０内部の高吸収性ポリマー１８が外部に漏れ出す可能性が生じる傾向がある。
【００３５】
高吸収性シート２０の、トップシート１０の肌側面に固定される幅方向他端は、トップシート１０の幅方向の長さ寸法（又は幅方向の最大長さ寸法）をＭ（ｃｍ）としたときに、トップシート１０の幅方向の一端及び他端からそれぞれ略０．１Ｍ（ｃｍ）以上０．３Ｍ（ｃｍ）以下の、トップシート１０の幅の領域に固定されていることが好ましい。高吸収性シート２０の幅方向他端の固定位置がトップシート１０の幅方向の一端及び他端から０．１Ｍ（ｃｍ）未満であると、第１の立体ギャザー１３のトップシート１０肌側面での固定部位が無くなり、いずれも固定強度が低下する傾向がある。高吸収性シート２０の幅方向他端の固定位置がトップシート１０の幅方向の一端及び他端から０．３Ｍ（ｃｍ）を超えると、より大きい、体液を受け止め、吸収体１１に体液を浸透させるトップシート１０の機能を損なう傾向がある。
【００３６】
また、高吸収性シート２０の、第１の立体ギャザー１３の表面１３ｘに固定される幅方向一端は、第１の立体ギャザー１３を起立させたときに、第１の立体ギャザー１３の自由端付近に配設された弾性伸縮部材１３ａの高さ位置よりも低い位置に固定されることが好ましい。弾性伸縮部材１３ａよりも高い位置に固定すると、第１の立体ギャザー１３と高吸収性シート２０とが肌に当たる際、硬さを感じてしまうため好ましくない。
【００３７】
高吸収性シート２０に用いられる不織布１６としては、体液が高吸収性シート２０の内部へと移動する液透過性を有するものを特に限定なく使用でき、例えば、サーマルボンド不織布、エアスルー不織布等の不織布、サーマルボンド不織布／スパンボンド不織布積層体である複合不織布、開口ポリエチレンフィルム等の開口性フィルム、ポリエチレンフォーム、ウレタンフォーム等の発泡フィルム、これらの２種以上の積層体である複合シート等が挙げられる。これらの中でも、体液透過性と強度との高水準でのバランス等の観点から、エアスルー不織布が好ましい。不織布１６の坪量は、例えば、１４ｇ／ｍ２以上４０ｇ／ｍ２以下の範囲である。不織布１６の形状は本実施形態の長方形状に限定されず、高吸収性シート２０の内部に体液を誘導する観点から、高吸収性シート２０内のＳＡＰ固定領域３０を覆い、かつシート固定領域３１を形成可能な形状であればよい。
【００３８】
パルプ含有不織布１７は、例えば、高吸収性シート２０（又は高吸収性ポリマー１８）の体液吸収を補助する機能を有している。パルプ含有不織布１７は、スパンボンド不織布とパルプ繊維層とを一体化した不織布シートである。このような不織布シートとしては、例えば、不織布を構成する繊維とパルプ繊維とを併用してスパンボンド不織布として作製した混在型不織布シート、スパンボンド不織布とパルプ繊維からなる不織布とを重ね合わせ、加圧処理及び／又は加熱処理を施して得られる圧着又は融着型不織布シート、スパンボンド不織布とパルプ繊維からなる不織布とを比較的少量の接着剤で接合した接着型不織布シート、水流交絡法によりスパンボンド不織布に水流及びパルプ繊維を吹き付けて得られる水流交絡型不織布シート等が挙げられる。なお、水流交絡型不織布シートでは、スパンボンド不織布にパルプ繊維が絡みつき、スパンボンド不織布の一方の表面にパルプ繊維層が形成されるだけでなく、他方の面にもスパンボンド不織布内部を通過してきたパルプ繊維が部分的に突出したり、絡みついたりしていることがある。これらの不織布シートの中でも、パルプ繊維層の機能を十分に発揮させる観点から、水流交絡型不織布シートが好ましい。
【００３９】
パルプ含有不織布１７のスパンボンド不織布としては、スパンボンド法、メルトブロー法、フラッシュ紡糸法等で作製された不織布を特に限定なく使用できるが、その材質としては、例えば、ナイロン（商標名）、ビニロン、ポリエステル、アクリル樹脂、ポリエチレン、ポリプロピレン、ポリスチレン等の合成樹脂を好ましく使用できる。スパンボンド不織布は、複数の合成樹脂繊維を含んでいてもよい。これらの中でも、強度、柔らかさ等の観点から、ポリプロピレン繊維を含むスパンボンド不織布が好ましく、構成繊維が全てポリプロピレン繊維であるスパンボンド不織布がより好ましい。また、スパンボンド不織布の坪量は特に限定されないが、引張強度と触感の柔らかさの観点から、例えば、７ｇ／ｍ２以上２０ｇ／ｍ２以下である。
【００４０】
パルプ繊維層に含まれるパルプ繊維としては特に限定されないが、例えば、ラジアータパイン、スラッシュパイン、サザンパイン、ロッジポールパイン、スプルース、ダグラスファー等の針葉樹晒クラフトパルプ（以下「ＮＢＫＰ」ともいう）が挙げられる。ＮＢＫＰは、１種を単独で又は２種以上を組み合わせて使用できる。パルプ繊維層の坪量は特に限定されないが、均一性、触感、吸収性等の観点から、例えば３０ｇ／ｍ２以上７０ｇ／ｍ２以下である。
【００４１】
パルプ繊維の含有量は、例えば、パルプ含有不織布１７全量の６５質量％以上９０質量％以下であり、残部がスパンボンド不織布であり、又は７０質量％以上８５質量％以下であり、残部がスパンボンド不織布である。パルプ繊維の含有量が６５質量％未満であると体液の吸収性、拡散性等の面で安定したパルプ含有不織布１７が形成されない傾向があり、９０質量％超えるとパルプ含有不織布１７が硬くなる傾向がある。
【００４２】
パルプ含有不織布１７全体としての坪量は、例えば、４０ｇ／ｍ２以上８０ｇ／ｍ２以下の範囲、又は４０ｇ／ｍ２以上６０ｇ／ｍ２以下の範囲である。４０ｇ／ｍ２未満であるとパルプ含有不織布１７が柔らかくなりすぎる傾向があり、８０ｇ／ｍ２を超えるとパルプ含有不織布１７が硬くなりすぎる傾向がある。
【００４３】
高吸収性シート２０中に固定される高吸収性ポリマー（ＳＡＰ）１８としては、吸収体１１で用いられる高吸収性ポリマーと同様のものを特に限定なく使用できる。高吸収性シート２０における高吸収性ポリマー１８の坪量は、横漏れ防止の吸収性能を確保する観点から、例えば、２００ｇ／ｍ２以上１２００ｇ／ｍ２以下の範囲であり、また、吸収性能、吸収後の肌触り及び着用者の動きやすさ等をより向上させる観点から、例えば、３００ｇ／ｍ２以上９００ｇ／ｍ２以下の範囲である。
【００４４】
なお、微粉末のＳＡＰは粉体としての流動性が悪く、不織布１６側又はパルプ含有不織布１７側から高吸収性シート２０の外部に漏れ出し、ＳＡＰが体液を吸収して硬くなることによりごつごつとした触感が発生し、取扱い性が十分ではないことから、中位粒子径のＳＡＰの使用が好適である。高吸収性ポリマー１８の中位粒子径は、例えば、５０μｍ以上６００μｍ以下の範囲、５０μｍ以上５５０μｍ以下の範囲又は１００μｍ以上５００μｍ以下の範囲である。
【００４５】
＜吸収性物品の製造方法＞
吸収性物品１の製造方法としては、特に限定はなく、従来公知の方法を採用することができ、例えば、衣類側から、バックシート１２、吸収体１１、トップシート１０の順に積層し、トップシート１０とバックシート１２とを一部又は全周に亘ってホットメルト接着剤やヒートエンボス、超音波エンボス、高周波エンボス等を用いて固定した上で、第１の立体ギャザー１３を所定の位置に固定し、さらにその幅方向内側に高吸収性シート２０、第１の立体ギャザー１３の幅方向外側に第２の立体ギャザー１４を固定することで、吸収性物品１を製造することができる。そして、これを包装体に個別包装した後、長手方向に３つ折りにして折り畳めばよい。
【００４６】
＜第２実施形態＞
第２実施形態に係る吸収性物品２は、吸収性物品１の変形例であり、図４に示すように、第１の立体ギャザー１３の幅方向外側に設けられた第２の立体ギャザー１４を有する以外は、吸収性物品１と同じ構成を有している。第２の立体ギャザー１４を設けることにより、大量の体液が一度に排出されても、体液の横漏れを顕著に防止できる。
【００４７】
（第２の立体ギャザー）
第２の立体ギャザー１４は、一対の第１の立体ギャザー１３の、吸収性物品１の幅方向外側に吸収性物品１の長手方向に沿って設けられ、撥水性及び／又は防水性のシートを含んでいる。本実施形態の第２の立体ギャザー１４は、弾性伸縮部材１４ａと、第２のシート部材１４ｂと、を含む。弾性伸縮部材１４ａは、第１の立体ギャザー１３の弾性伸縮部材１３ａと同じ機能を有し、かつ同じ材料を使用できる。第２のシート部材１４ｂは、いずれも第１のシート部材１３ｂの外側において、幅方向一端がバックシート１２の幅方向両端付近に固定され、幅方向途中部がトップシート１０の肌側面の幅方向両端付近に固定され、幅方向他端が弾性伸縮部材１４ａの配設により起立性を有する自由端になっている。第２のシート部材１４ｂの幅方向一端の固定位置の変形例も第１のシート部材１３ａと同じであり、用いられる材料も同じである。第２の立体ギャザー１４（又は第２のシート部材１４ｂ）の坪量は、第１の立体ギャザー１３と同様に、例えば１０ｇ／ｍ２以上１００ｇ／ｍ２以下の範囲である。
【００４８】
以上、実施形態を用いて本発明を説明したが、本発明の技術的範囲は上記実施形態に記載の範囲には限定されないことは言うまでもない。上記実施形態に、多様な変更または改良を加えることが可能であることは当業者に明らかである。また、その様な変更または改良を加えた形態も本発明の技術的範囲に含まれ得ることが、特許請求の範囲の記載から明らかである。
【符号の説明】
【００４９】
１、２  吸収性物品
１０  トップシート
１１  吸収体
１２  バックシート
１３  第１の立体ギャザー
１３ａ、１４ａ  弾性伸縮部材
１３ｂ  第１のシート部材
１３ｘ  表面
１４  第２の立体ギャザー
１４ｂ  第２のシート部材
１６  不織布
１６ａ  表面
１７  パルプ含有不織布
１７ａ、１７ｂ  表面
１８  高吸収性ポリマー
２０  高吸収性シート
２０ａ  膨潤後の高吸収性シート
３０  ＳＡＰ固定領域
３１  シート固定領域
【図１】
2022000095.tif 000003
【図２】
2022000095.tif 000004
【図３】
2022000095.tif 000005
【図４】
2022000095.tif 000006
【図５】
2022000095.tif 000007
【図６】
2022000095.tif 000008